(57)【特許請求の範囲】
【請求項１】
ローダーシャーシと、このローダシャーシに取付けられたトラバースシャーシと、配線基板を備えて上記トラバースシャーシに搭載された光ピックアップと、この光ピックアップの上記配線基板と上記ローダーシャーシの外部に設けられた配線基板とを接続するフレキシブルフラットケーブルと、上記トラバースシャーシの裏面に設けられたケーブル貼付部と、を備え、
上記フレキシブルフラットケーブルが、その途中箇所に、光ピックアップの上記配線基板から延び出て上記トラバースシャーシの裏側へ引き回されたＵ字形折返し部を有する光ディスク装置であって、
上記ケーブル貼付部が左右方向で隣接する第一貼付面と第二貼付面とを有し、それらの第一貼付面の後端と第二貼付面の後端とが同じ高さで直線状に連なっていて、それらの後端が、上記光ピックアップの前後方向の移動に伴ってフレキシブルフラットケーブルの上記Ｕ字形折返し部との対向位置でそのＵ字形折返し部に対して接近離間方向に移動するように構成されていると共に、それらの第一貼付面の後端と上記第二貼付面の後端にアールが形成され、
上記第一貼付面は、上記フレキシブルフラットケーブルをそのＵ字形折返し部の終端部で直角方向に折曲げたケーブル折曲部の近傍箇所を貼付ける面であって、その後端から前方に向かって低くなる傾斜面として形成され、その第一貼付面の前側隅部に、第一位置決め手段として、ケーブル折曲部を当接させて前後左右に位置決めする「く」字形の位置決めリブが設けられ、
上記第二貼付面は、上記フレキシブルフラットケーブルをそのＵ字形折返し部の終端部で折返したケーブル折返し部を貼付ける面であって、水平面として形成され、その第二貼付面に、第二位置決め手段として、ケーブル折返し部を当接させて前後左右に位置決めする位置決め段差部が設けられ、
上記位置決め段差部が、第一貼付面と第二貼付面との境界に形成される段差部と、第二貼付面の前端に形成されて上記段差部に直交しかつ上記位置決めリブの上側に位置する段差部とによって構成されていることを特徴とする光ディスク装置。
【請求項２】
「く」字形の上記位置決めリブが、１３５°の曲がり角を備えている請求項１に記載した光ディスク装置。
【請求項３】
上記第二貼付面が、上記フレキシブルフラットケーブルをそのＵ字形折返し部の終端部で１８０°折返したケーブル折返し部を貼付ける面であり、ケーブル折返し部を当接させて前後左右に位置決めする上記位置決め段差部が直角に曲がっている請求項１又は請求項２に記載した光ディスク装置。
【発明の詳細な説明】
【技術分野】
【０００１】
本発明は、ＤＶＤ、ＣＤなどの光ディスク装置に関し、特に、フレキシブルフラットケーブルをトラバースシャーシ裏面のケーブル貼付部に位置決めして二通りの態様で貼付け、該ケーブルをローダーシャーシから二方向に引き出せるように改良した光ディスク装置に関する。
【背景技術】
【０００２】
図９は従来の光ディスク装置の概略部分底面図、図１０は従来のターンテーブルと光ピックアップを搭載したトラバースシャーシの概略断面図である。この光ディスク装置は、図１０に示すように、トラバースシャーシ２の前端部に、スピンドルモータＭで回転するターンテーブル３を設け、トラバースシャーシ２のターンテーブル３より後側に光ピックアップ４を２本のガイド軸５に沿って前後移動可能に搭載している。そして、光ピックアップ４の配線基板６から後方へ延びるフレキシブルフラットケーブル７をローダーシャーシ１の側方に設けられたメイン配線基板（不図示）に接続する場合は、図９，図１０に示すように、フレキシブルフラットケーブル７をトラバースシャーシ２の裏側へ引き回して、その途中箇所にＵ字形折返し部を形成し、そのＵ字形折返し部の終端部で該ケーブル７を直角方向に折り曲げ、このケーブル折曲部７ａをトラバースシャーシ裏面のケーブル貼付部２ａに設けられた位置決めリブ２ｂで位置決めしながら該ケーブル貼付部２ａに貼付け、フレキシブルフラットケーブル６の先端部をローダーシャーシ１の側方へ引き出している。
【０００３】
一方、回路基板と光ピックアップ、ターンテーブル用スピンドルモーター等を接続するフレキシブルケーブルの配線を複数の方向に向けることができるように、フレキシブルケーブルの押え機能と折り曲げ機能を備えた多数のフックをフロートベースに設けた記録媒体再生ユニットが提案されている（特許文献１）。
【０００４】
また、円形の端子形成部を備えたフレキシブル配線板を保持する３つのホルダー部を枠本体の三面に設けて、フレキシブル配線板を三方向に引き回すことができるようにしたディスクデッキ（特許文献２）や、支持部材に摺動自在に支持された光学ヘッドと、支持部材に配設された制御回路を、２本のケーブルで接続することによって、光学ヘッドに加わる力のバランスをとるようにした光ディスク装置（特許文献３）も提案されている。
【特許文献１】特開２００２−２６０３６６号公報
【特許文献２】特開２００１−６０３７１号公報
【特許文献３】特開平３−１１６４４４号公報
【発明の開示】
【発明が解決しようとする課題】
【０００５】
しかしながら、前述した従来の光ディスク装置は、メイン配線基板がローダーシャーシ１の後方に配設されている場合、図９に仮想線で示すように、トラバースシャーシ２の裏側へ引き回したフレキシブルフラットケーブル７を途中で１８０°折返して、このケーブル折返し部７ｂをケーブル貼付部２ａに貼付け、フレキシブルフラットケーブル７をローダーシャーシ１の後方へ引き出してメイン配線基板に接続しようとしても、位置決めリブ２ｂが邪魔になってケーブル折返し部７ｂをケーブル貼付部２ａに貼付けることができないという問題がある。
【０００６】
かと言って、位置決めリブ２ｂを除去したり位置決め線を設けたりすると、ケーブル折曲部７ａの貼付け位置がずれて、光ピックアップ４からケーブル貼付部２ａまでのフレキシブルフラットケーブル７の長さが不足したり長すぎたりし、該ケーブルの長さが不足する場合は、図１０に仮想線で示すように光ピックアップ４が前方へ移動したときに該ケーブル７がケーブル貼付部２ａの後端近くで屈曲して断線する恐れが生じる。そして、該ケーブル７が長すぎる場合は、光ピックアップ４が後方へ移動したときに該ケーブル７がローダーシャーシ１の後枠部に当たるという不都合が生じる。従って、従来の光ディスク装置は、位置決めリブ２ｂを設けてケーブル折曲部７ａを位置決めしながらケーブル貼付部２ａに貼付け、フレキシブルフラットケーブル７の先端部を一方向（側方）に引き出さざるを得ないため、セットレイアウトの自由度が小さいという問題があった。
【０００７】
これに対し、前記特許文献１の記録媒体再生ユニットは、多数のフックによってフレキシブルケーブルの配線を位置決めして複数の方向に向けることができるというものの、位置決め手段がフックであり、しかも、フレキシブルケーブルをフロートベースの一箇所で位置決めして複数の方向に配線するものではないため、この特許文献１の技術を前述した従来の光ディスク装置に適用したとしても、上記の問題を解決することはできない。
【０００８】
同様に、前記特許文献２のディスクデッキも、枠本体の三面に設けたホルダー部でフレキシブル配線板を位置決めして三方向に引き回すものであり、フレキシブル配線板を途中で枠本体の一箇所に位置決めして複数の方向に配線するものではないため、この技術を従来の光ディスク装置に適用したとしても、やはり上記の問題を解決することはできない。
【０００９】
また、前記特許文献３の光ディスク装置は、光学ヘッドに加わる力のバランスをとるために、光学ヘッドと制御回路を２本のケーブルで接続しただけのものであるから、このような技術を前述した従来の光ディスク装置に適用しても、上記の問題を何ら解決することはできない。
【００１０】
本発明は上記事情の下になされたもので、その解決しようとする課題は、フレキシブルフラットケーブルをトラバースシャーシ裏面のケーブル貼付部に位置決めして二通りの態様で貼付け、該ケーブルをローダーシャーシから二方向に引き出すことができる、セットレイアウトの自由度が大きい光ディスク装置を提供することにある。
【課題を解決するための手段】
【００１１】
上記課題を解決するため、本発明に係る光ディスク装置は、ローダーシャーシと、このローダシャーシに取付けられたトラバースシャーシと、配線基板を備えて上記トラバースシャーシに搭載された光ピックアップと、この光ピックアップの上記配線基板と上記ローダーシャーシの外部に設けられた配線基板とを接続するフレキシブルフラットケーブルと、上記トラバースシャーシの裏面に設けられたケーブル貼付部と、を備え、上記フレキシブルフラットケーブルが、その途中箇所に、光ピックアップの上記配線基板から延び出て上記トラバースシャーシの裏側へ引き回されたＵ字形折返し部を有する。
【００１２】
そして、上記ケーブル貼付部が左右方向で隣接する第一貼付面と第二貼付面とを有し、それらの第一貼付面の後端と第二貼付面の後端とが同じ高さで直線状に連なっていて、それらの後端が、上記光ピックアップの前後方向の移動に伴ってフレキシブルフラットケーブルの上記Ｕ字形折返し部との対向位置でそのＵ字形折返し部に対して接近離間方向に移動するように構成されていると共に、それらの第一貼付面の後端と上記第二貼付面の後端にアールが形成され、上記第一貼付面は、上記フレキシブルフラットケーブルをそのＵ字形折返し部の終端部で直角方向に折曲げたケーブル折曲部の近傍箇所を貼付ける面であって、その後端から前方に向かって低くなる傾斜面として形成され、その第一貼付面の前側隅部に、第一位置決め手段として、ケーブル折曲部を当接させて前後左右に位置決めする「く」字形の位置決めリブが設けられ、上記第二貼付面は、上記フレキシブルフラットケーブルをそのＵ字形折返し部の終端部で折返したケーブル折返し部を貼付ける面であって、水平面として形成され、その第二貼付面に、第二位置決め手段として、ケーブル折返し部を当接させて前後左右に位置決めする位置決め段差部が設けられ、上記位置決め段差部が、第一貼付面と第二貼付面との境界に形成される段差部と、第二貼付面の前端に形成されて上記段差部に直交しかつ上記位置決めリブの上側に位置する段差部とによって構成されていることを特徴とするものである。本発明には、「く」字形の上記位置決めリブが、１３５°の曲がり角を備えているもの、及び、上記第二貼付面が、上記フレキシブルフラットケーブルをそのＵ字形折返し部の終端部で１８０°折返したケーブル折返し部を貼付ける面であり、ケーブル折返し部を当接させて前後左右に位置決めする上記位置決め段差部が直角に曲がっているものが含まれる。
【発明の効果】
【００１３】
本発明の光ディスク装置のように、ケーブル貼付部が第一貼付面と第二貼付面を有し、第一貼付面にはフレキシブルフラットケーブルを前後左右に位置決めする第一位置決め手段が設けられ、第二貼付面にはフレキシブルフラットケーブルを前後左右に位置決めする第二位置決め手段が設けられていると、フレキシブルフラットケーブルを、第一位置決め手段又は第二位置決め手段によって前後左右に位置決めしながら、第一貼付面又は第二貼付面に二通りの形態（例えば、該ケーブルを直角方向に折り曲げた形態又は１８０°折り返した形態）で貼付け、フレキシブルフラットケーブルをローダーシャーシから二方向（例えば、側方又は後方）に引き出すことができる。従って、従来の光ディスク装置よりもセットレイアウトの自由度が大きくなり、また、第一位置決め手段又は第二位置決め手段でフレキシブルフラットケーブルを位置決めして、光ピックアップからケーブル貼付部までのケーブル長さを適正に保てるので、断線などの恐れを解消することができる。
【００１４】
本発明に係る光ディスク装置において、ケーブル貼付部の第一貼付面が、フレキシブルフラットケーブルを直角方向に折曲げたケーブル折曲部の近傍箇所を貼付ける面であって、第一位置決め手段として「く」字形の位置決めリブが設けられているので、フレキシブルフラットケーブルの直角方向のケーブル折曲部を「く」字形の位置決めリブの内側面に当接させることによって正確に位置決めすることができ、位置決めした状態でケーブル折曲部の近傍箇所を第一貼付面に貼付けることによって、フレキシブルフラットケーブルをローダーシャーシから側方へ引き出することができる。
【００１５】
そして、ケーブル貼付部の第二貼付面がフレキシブルフラットケーブルを１８０°折返したケーブル折返し部を貼付ける面であって、第二位置決め手段として直角に曲がった位置決め段差部が第一貼付面と第二貼付面との境界部分に設けられていると、フレキシブルフラットケーブルのケーブル折返し部を直角に曲がった位置決め段差部の内側面に当接させることによって正確に位置決めすることができ、位置決めした状態でケーブル折返し部を第二貼付面に貼付けることによって、フレキシブルフラットケーブルをローダーシャーシから後方へ引き出すことができる。
【００１６】
また、第一貼付面が後端から前方に向かって低くなる傾斜面であり、第二貼付面が水平面であり、第一貼付面の後端と第二貼付面の後端が同じ高さで直線状に連なっているので、フレキシブルフラットケーブルのケーブル折曲部を第一貼付面に貼付ける場合でも、ケーブル折返し部を第二貼付面に貼付ける場合でも、光ピックアップの配線基板から第一貼付面又は第二貼付面の後端までのケーブル長さが同一となるので、第一貼付面に貼付ける場合と第二貼付面に貼付ける場合でケーブル長さを変更する面倒さが解消される。そして、同じ高さで直線状に連なる第一貼付面の後端と第二貼付面の後端にアールが形成されているものは、フレキシブルフラットケーブルがこれら第一及び第二の貼付面の近傍箇所で屈曲して断線する恐れを解消することができる。
【発明を実施するための最良の形態】
【００１７】
以下、図面を参照して本発明の具体的な実施形態を詳述する。
【００１８】
図１は本発明の一実施形態に係る光ディスク装置をディスクトレイを省略して示す平面図、図２はフレキシブルフラットケーブルを側方へ引き出した同光ディスク装置の概略底面図、図３はフレキシブルフラットケーブルを後方へ引き出した同光ディスク装置の概略底面図、図４は同光ディスク装置の光ピックアップとターンテーブルを搭載したトラバースシャーシの概略断面図、図５は同光ディスク装置のトラバースシャーシを裏返した斜視図、図６はトラバースシャーシの裏面のケーブル貼付部の斜視図、図７はケーブル貼付部の第一貼付面にフレキシブルフラットケーブルのケーブル折曲部の近傍箇所を貼付けたところを示す斜視図、図８はケーブル貼付部の第二貼付面にフレキシブルフラットケーブルのケーブル折返し部を貼付けたところを示す斜視図である。
【００１９】
この光ディスク装置は、図１に示すように、合成樹脂製のローダーシャーシ１の内側に、合成樹脂製のトラバースシャーシ２が、その後端両側部において取付ネジ７ａとゴムダンパー７ｂを用いて上下揺動可能に取付けられており、図１，図４に示すように、トラバースシャーシ２の前端部にはスピンドルモータＭによって回転するターンテーブル３が、また、トラバースシャーシ２のターンテーブル３より後側には光ピックアップ４が、それぞれ搭載されている。なお、図１〜図３においては、紙面の上側が前、下側が後であり、図４においては紙面の右側が前、左側が後である。
【００２０】
上記のターンテーブル３は、トラバースシャーシ２の前端部に取付けられたスピンドルモータＭの出力軸に固定され、トラバースシャーシ２が上方に回動したときに、このターンテーブル３とその真上のクランパー８との間に光ディスクの中央開口縁を挟んで光ディスクを回転させるようになっている。このクランパー８はローダーシャーシ１に一体成形されたブリッジ部１ａの中央のクランパー保持部１ｂに回転自在に保持されている。
【００２１】
また、上記の光ピックアップ４は、そのラック４ａと噛み合うピニオン９により、ガイド軸５，５に沿って前後方向（ターンテーブル３に対して接近・離反する方向）に移動するように搭載されており、ターンテーブル３に接近しながらレーザービームを対物レンズ４ｂから光ディスクに照射して、記録・再生を行うようになっている。そして、この光ピックアップ４の配線基板６と、ローダーシャーシ１の側方に配置されたメイン配線基板１０とを接続するフレキシブルフラットケーブル７は、図１、図２、図４に示すように、その途中箇所が、光ピックアップ４の配線基板６から延び出てトラバースシャーシ２の裏側へ引き回されたＵ字形折返し部を形成していて、そのＵ字形折返し部の終端部が直角方向に折曲げられ、このケーブル折曲部７ａの近傍箇所７ｃが、トラバースシャーシ２の裏面に形成されたケーブル貼付部の第一貼付面１１ａに両面粘着テープで貼付けられて、フレキシブルフラットケーブル７の先端部がローダーシャーシ１から側方のメイン配線基板１０へ引き出されている。尚、このケーブル貼付部については、後で詳しく説明する。
【００２２】
トラバースシャーシ２の前端には、前方へ突き出す二つの凸部２ｃ，２ｄが形成されており、これらの凸部２ｃ，２ｄをそれぞれ挿入するカム溝１２ａを備えた合成樹脂製のカムスライダー１２が、ローダーシャーシ１の前枠部１ｃに左右スライド可能に取付けられている。そして、このカムスライダー１２のラック１２ｂが駆動ピニオン１３と噛み合って、カムスライダー１２が図１において右方向Ｒにスライドすると、トラバースシャーシ２の凸部２ｃ，２ｄがカム溝内を摺動しながら下降するため、トラバースシャーシ２は下方へ回動し、カムスライダー１２が左方向Ｌへスライドすると、トラバースシャーシ２が上方へ回動するようになっている。
【００２３】
また、光ディスクを載せて挿入・排出されるディスクトレイ（不図示）は、トラバースシャーシ２とローダーシャーシ１のブリッジ部１ａとの間に配置されて、ローダーシャーシ１の内側に前後方向にスライド可能に取付けられており、このディスクトレイ裏面のラックにピニオンが噛み合って回転すると、ディスクトレイが挿入・排出されるようになっている。
【００２４】
上記の光ディスク装置は、光ディスクをディスクトレイに載せて挿入した図１のディスククローズの状態では、トラバースシャーシ２が上昇し、光ディスクがターンテーブル３とクランパー８に挟まれて回転する共に、光ピックアップ４がガイド軸５，５に沿ってターンテーブル３の方へ移動しながら、レーザービームを光ディスクに照射し、記録・再生が行われる。そして、光ディスクへの記録・再生が終わると、カムスライダー１２のラック１２ｂが駆動ピニオン１３と噛み合って、カムスライダー１２が図１において右方向Ｒへスライドし、トラバースシャーシ２が下方へ回動してターンテーブル３とクランパー８による光ディスクのチャックが解除され、光ディスクがディスクトレイに載置されて排出される。
【００２５】
上記の光ディスク装置の大きい特徴は、フレキシブルフラットケーブル７を貼付けるためにトラバースシャーシ２の裏面に形成されたケーブル貼付部１１にある。
【００２６】
即ち、このケーブル貼付部１１は、図５，図６に示すように、左右方向で隣接する第一貼付面１１ａと第二貼付面１１ｂを有している。この第一貼付面１１ａは、図７に示すように、フレキシブルフラットケーブル７を直角方向に折曲げたケーブル折曲部７ａの近傍箇所７ｃが両面粘着テープ１４で貼付けられる面であって、第一位置決め手段として、ケーブル折曲部７ａを当接させて前後左右に位置決めする１３５°の曲がり角を備えた「く」字形の位置決めリブ１１ｃが、第一貼付面１１ａの前側隅部に形成されている。
【００２７】
この第一貼付面１１ａは、後端１１０ａから前方に向かって低くなる傾斜面とされ、その後端側には樹脂を節約するための凹部１１１ａが形成されている。なお、図５〜図８はいずれも、トラバースシャーシ２を裏返した状態の斜視図であるから、第一貼付面１１ａは後端１１０ａから前方に向かって高くなる傾斜面として図示されているが、実際には上記のように後端１１０ａから前方に向かって低くなる傾斜面である。
【００２８】
第一貼付面１１ａに隣接する第二貼付面１１ｂは、図８に示すように、フレキシブルフラットケーブル７を１８０°折返したケーブル折返し部７ｂが貼付けられる面であり、図５，図６に示すように、この第二貼付面１１ｂは水平面とされている。そして、この水平な第二貼付面１１ｂと上記の傾斜した第一貼付面１１ａとの境界部分に、第二位置決め手段として、直角に曲がった位置決め段差部１１ｄが形成されている。この位置決め段差部１１ｄは、第一貼付面１１ａと第二貼付面１１ｂとの境界に形成される段差部と、第二貼付面の前端に形成されて上記段差部に直交しかつ上記位置決めリブ１１ｃの上側に位置する段差部とによって構成されている。
【００２９】
また、第一貼付面１１ａの後端１１０ａと、第二貼付面１１ｂの後端１１０ｂは、図６に示すように、同じ高さで直線状に連なっており、それらの後端１１０ａ，１１０ｂが、光ピックアップ４の前後方向の移動に伴ってフレキシブルフラットケーブル７の上記Ｕ字形折返し部との対向位置でそのＵ字形折返し部に対して接近離間方向に移動するように構成されている。さらに、第一貼付面１１ａの後端１１０ａと第二貼付面１１ｂの後端１１０ｂとにはアールが形成されている。
【００３０】
上記のケーブル貼付部１１をトラバースシャーシ２の裏面に形成した光ディスク装置は、光ピックアップ４の配線基板６から延びるフレキシブルフラットケーブル７を、ローダーシャーシ１の側方に配置されたメイン配線基板１０に接続する場合には、図２、図７に示すように、トラバースシャーシ２の裏側へ引き回したフレキシブルフラットケーブル７のＵ字形折返し部の終端部を直角方向に折曲げ、このケーブル折曲部７ａを第一貼付面１１ａの「く」字形の位置決めリブ１１ｃの内側面に当接させることによって、正確に前後左右の位置決めを行いながら、ケーブル折曲部７ａの近傍箇所７ｃを第一貼付面１１ａに両面粘着テープ１４で貼付けて、フレキシブルフラットケーブル７の先端部分をローダーシャーシ１から側方へ引き出せばよい。
【００３１】
そして、フレキシブルフラットケーブル７をローダーシャーシ１の後方に配置されたメイン配線基板１０に接続する場合は、図３，図８に示すように、トラバースシャーシ２の裏側へ引き回したフレキシブルフラットケーブル７をそのＵ字形折返し部の終端部で１８０°折返し、このケーブル折返し部７ｂを直角に曲がった位置決め段差部１１ｄの内側面に当接させることによって、正確に前後左右の位置決めを行いながら、ケーブル折返し部７ｂを第二貼付面１１ｂに両面粘着テープ１４で貼付けて、フレキシブルフラットケーブル７の先端部分をローダーシャーシ１から後方へ引き出せばよい。
【００３２】
この光ディスク装置は、上記ようにフレキシブルフラットケーブル７を二通りの態様でケーブル貼付部１１の第一貼付面１１ａ又は第二貼付面１１ｂに貼付けて、フレキシブルフラットケーブル７をローダーシャーシ１の側方又は後方へ引き出すことができるので、従来の光ディスク装置よりもセットレイアウトの自由度が大きくなる。しかも、位置決めリブ１１ｃや位置決め段差部１１ｄでフレキシブルフラットケーブル７を前後左右に正確に位置決めして、光ピックアップ４の配線基板６からケーブル貼付部１１までのケーブル長さを適正に保てるため、上記のように第一貼付面１１ａの後端１１０ａと第二貼付面１１ｂの後端１１０ｂにアールが形成されていることと相俟って、フレキシブルフラットケーブル７がケーブル貼付部１１の近傍箇所で屈曲、断線する恐れを解消することができる。そして、この光ディスク装置のようにケーブル貼付部１１に第一貼付面１１ａと第二貼付面１１ｂを集めて併設すると、第一貼付面１１ａと第二貼付面１１ｂとの境界部分の段差部を位置決め手段として利用でき、別途、位置決め部分を設けることが不要となるので、材料費を節約することもできる。また、この光ディスク装置のように第一貼付面１１ａの後端１１０ａと第二貼付面１１ｂの後端１１０ｂが同じ高さで直線状に連なっていると、第一貼付面１１ａに貼付ける場合と、第二貼付面１１ｂに貼付ける場合とで、光ピックアップ４の配線基板６から第一貼付面又は第二貼付面の後端１１０ａ又は１１０ｂまでのケーブル長さを変える面倒さを解消することもできる。
【００３３】
以上、光ピックアップ４の配線基板６と外部のメイン配線基板１０とを接続するフレキシブルフラットケーブル７が貼付けられるケーブル貼付部１１を設けた光ディスク装置を例に挙げて本発明を説明したが、本発明はこれに限定されるものではなく、既述したように、トラバースシャーシの裏面に取付けられる中継基板とメイン配線基板とを接続するフレキシブルフラットケーブルが貼付けられるケーブル貼付部を設けた光ディスク装置などにも、勿論適用されるものである。
【図面の簡単な説明】
【００３４】
【図１】本発明の一実施形態に係る光ディスク装置をディスクトレイを省略して示す平面図である。
【図２】フレキシブルフラットケーブルを側方へ引き出した同光ディスク装置の概略底面図である。
【図３】フレキシブルフラットケーブルを後方へ引き出した同光ディスク装置の概略底面図である。
【図４】同光ディスク装置の光ピックアップとターンテーブルを搭載したトラバースシャーシの概略断面図である。
【図５】同光ディスク装置のトラバースシャーシを裏返した斜視図である。
【図６】トラバースシャーシの裏面のケーブル貼付部の斜視図である。
【図７】ケーブル貼付部の第一貼付面にフレキシブルフラットケーブルのケーブル折曲部の近傍箇所を貼付けたところを示す斜視図である。
【図８】ケーブル貼付部の第二貼付面にフレキシブルフラットケーブルのケーブル折返し部を貼付けたところを示す斜視図である。
【図９】従来の光ディスク装置の概略部分底面図である。
【図１０】従来のターンテーブルと光ピックアップを搭載したトラバースシャーシの概略断面図である。
【符号の説明】
【００３５】
１  ローダーシャーシ
２  トラバースシャーシ
４  光ピックアップ
６  配線基板
７  フレキシブルフラットケーブル
７ａ  ケーブル折曲部
７ｂ  ケーブル折返し部
７ｃ  ケーブル折曲部の近傍箇所
１０  メイン配線基板
１１  ケーブル貼付部
１１ａ  第一貼付面
１１ｂ  第二貼付面
１１ｃ  位置決めリブ（第一位置決め手段）
１１ｄ  位置決め段差部（第二位置決め手段）
１１０ａ  第一貼付面の後端
１１０ｂ  第二貼付面の後端
【図１】
0004924410.tif 000002
【図２】
0004924410.tif 000003
【図３】
0004924410.tif 000004
【図４】
0004924410.tif 000005
【図５】
0004924410.tif 000006
【図６】
0004924410.tif 000007
【図７】
0004924410.tif 000008
【図８】
0004924410.tif 000009
【図９】
0004924410.tif 000010
【図１０】
0004924410.tif 000011